【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
印刷設定を受付ける受付手段と、
スプール処理とデスプール処理に共通する共通処理が前記スプール処理として実行されているか又は前記デスプール処理として実行されているかを判定する判定手段と、
印刷データから印刷コマンドを生成する生成手段と、を有し、
前記生成手段は、前記受付手段が第１の設定を受付けて、かつ前記判定手段が前記共通処理は前記スプール処理として実行されていると判定した場合に、前記第１の設定で前記印刷データの印刷設定を決定して、前記受付手段が前記第１の設定から変更後の第２の設定を受付けて、かつ前記判定手段が前記共通処理は前記デスプール処理として実行されていると判定した場合に、前記受付手段が受付けた前記第２の設定に基づかず、前記第１の設定に基づいて前記印刷データから前記印刷コマンドを生成することを特徴とする情報処理装置。
【請求項２】
前記共通処理が前記デスプール処理として実行されていることを示す情報を設定する設定手段と、を有し、
前記判定手段は、前記設定手段が前記共通処理は前記デスプール処理として実行されていることを示す情報を設定した場合に、前記共通処理は前記デスプール処理として実行されていると判定することを特徴とする請求項１に記載の情報処理装置。
【請求項３】
前記印刷設定を決定する情報を画像処理装置から取得する取得手段と、を有することを特徴とする請求項２に記載の情報処理装置。
【請求項４】
前記第１の設定及び前記第２の設定は複数の印刷設定項目の設定を含むことを特徴とする請求項１乃至３のいずれか１項に記載の情報処理装置。
【請求項５】
前記共通処理を呼び出したプロセスを取得する第２の取得手段と、を有し、
前記判定手段は、前記第２の取得手段が取得する前記プロセスが特定のプロセスである場合に、前記共通処理は前記デスプール処理として実行されていると判定することを特徴とする請求項１乃至４のいずれか１項に記載の情報処理装置。
【請求項６】
前記第１の設定は第１の回転方向であり、前記第２の設定は前記第１の回転方向と１８０度回転した回転方向である第２の回転方向であり、前記印刷コマンドに基づいて処理する画像処理装置は用紙の長手方向について最初に給紙する辺よりも最後に排紙する辺で余白領域を多くとることを特徴とする請求項１乃至５のいずれか１項に記載の情報処理装置。
【請求項７】
前記共通処理とはコンフリクトを解消する処理とＸＰＳの階層を結合するマージ処理の少なくとも一つを含むことを特徴とする請求項１乃至６のいずれか１項に記載の情報処理装置。
【請求項８】
前記受付手段は記憶装置に保存する第１の設定を第２の設定へ変更することを印刷処理中に受付けることを特徴とする請求項１乃至７のいずれか１項に記載の情報処理装置。
【請求項９】
コンピュータに、
印刷設定を受付ける受付工程と、
スプール処理とデスプール処理に共通する共通処理が前記スプール処理として実行されているか又は前記デスプール処理として実行されているかを判定する判定工程と、
印刷データから印刷コマンドを生成する生成工程と、を実行させ、
前記生成工程は、前記受付工程で第１の設定を受付けて、かつ前記判定工程で前記共通処理は前記スプール処理として実行されていると判定した場合に、前記第１の設定で前記印刷データの印刷設定を決定して、前記受付工程で前記第１の設定から変更後の第２の設定を受付けて、かつ前記判定工程で前記共通処理は前記デスプール処理として実行されていると判定した場合に、前記受付工程で受付けた前記第２の設定に基づかず、前記第１の設定に基づいて前記印刷データから前記印刷コマンドを生成することを特徴とするプログラム。
【請求項１０】
前記コンピュータに、
前記共通処理が前記デスプール処理として実行されていることを示す情報を設定する設定工程と、を実行させ、
前記判定工程は、前記設定工程で前記共通処理は前記デスプール処理として実行されていることを示す情報を設定した場合に、前記共通処理は前記デスプール処理として実行されていると判定することを特徴とする請求項９に記載のプログラム。
【請求項１１】
前記コンピュータに、
前記印刷設定を決定する情報を画像処理装置から取得する取得工程と、を実行させることを特徴とする請求項１０に記載のプログラム。
【請求項１２】
前記第１の設定及び前記第２の設定は複数の印刷設定項目の設定を含むことを特徴とする請求項９乃至１１のいずれか１項に記載のプログラム。
【請求項１３】
前記コンピュータに、
前記共通処理を呼び出したプロセスを取得する第２の取得工程と、を実行させ、
前 記判定工程は、前記第２の取得工程で取得する前記プロセスが特定のプロセスである場合に、前記共通処理は前記デスプール処理として実行されていると判定することを特徴とする請求項９乃至１２のいずれか１項に記載のプログラム。
【請求項１４】
前記第１の設定は第１の回転方向であり、前記第２の設定は前記第１の回転方向と１８０度回転した回転方向である第２の回転方向であり、前記印刷コマンドに基づいて処理する画像処理装置は用紙の長手方向について最初に給紙する辺よりも最後に排紙する辺で余白領域を多くとることを特徴とする請求項９乃至１３のいずれか１項に記載のプログラム。
【請求項１５】
前記共通処理とはコンフリクトを解消する処理とＸＰＳの階層を結合するマージ処理の少なくとも一つを含むことを特徴とする請求項９乃至１４のいずれか１項に記載のプログラム。
【請求項１６】
前記受付工程は記憶装置に保存する第１の設定を第２の設定へ変更することを印刷処理中に受付けることを特徴とする請求項９乃至１５のいずれか１項に記載のプログラム。
【請求項１７】
印刷設定を受付ける受付工程と、
スプール処理とデスプール処理に共通する共通処理が前記スプール処理として実行されているか又は前記デスプール処理として実行されているかを判定する判定工程と、
印刷データから印刷コマンドを生成する生成工程と、を有し、
前記生成工程は、前記受付工程で第１の設定を受付けて、かつ前記判定工程で前記共通処理は前記スプール処理として実行されていると判定した場合に、前記第１の設定で前記印刷データの印刷設定を決定して、前記受付工程で前記第１の設定から変更後の第２の設定を受付けて、かつ前記判定工程で前記共通処理は前記デスプール処理として実行されていると判定した場合に、前記受付工程で受付けた前記第２の設定に基づかず、前記第１の設定に基づいて前記印刷データから前記印刷コマンドを生成することを特徴とする制御方法。
【手続補正２】
【補正対象書類名】明細書
【補正対象項目名】０００５
【補正方法】変更
【補正の内容】
【０００５】
上記の目的を達成するための本発明に係る情報処理装置は、
印刷設定を受付ける受付手段と、
スプール処理とデスプール処理に共通する共通処理が前記スプール処理として実行されているか又は前記デスプール処理として実行されているかを判定する判定手段と、
印刷データから印刷コマンドを生成する生成手段と、を有し、
前記生成手段は、前記受付手段が第１の設定を受付けて、かつ前記判定手段が前記共通処理は前記スプール処理として実行されていると判定した場合に、前記第１の設定で前記印刷データの印刷設定を決定して、前記受付手段が前記第１の設定から変更後の第２の設定を受付けて、かつ前記判定手段が前記共通処理は前記デスプール処理として実行されていると判定した場合に、前記受付手段が受付けた前記第２の設定に基づかず、前記第１の設定に基づいて前記印刷データから前記印刷コマンドを生成することを特徴とする。
【手続補正３】
【補正対象書類名】明細書
【補正対象項目名】０００６
【補正方法】削除
【補正の内容】